(57)【要約】【課題】  通常の電話番号入力とＥＮＵＭを利用した入力の両形式の入力を可能にした情報通信装置およびその制御方法を提供する。【解決手段】  操作／表示部１０５で通信相手先の電話番号を基本操作画面２００に入力し、ＥＮＵＭボタン２０６を押すことにより、この基本操作画面２００に入力された通信相手先の電話番号をＥＮＵＭ形式のアドレス情報に変換してドメイン送信部１６１によりＤＮＳサーバに送信し、これに応答してＤＮＳサーバから返送された通信相手先の電話番号に対応したインターネット資源のアドレスをＮＡＰＴＲ−ＲＲ受信部１６２で受信して取得する。【選択図】  図１
2006020046.tif 000002
【特許請求の範囲】
【請求項１】
通信相手先の電話番号を入力可能な電話番号画面を備えた情報通信装置において、
ＥＮＵＭ形式のアドレス情報を用いてＤＮＳサーバに問い合わせることにより前記通信相手先の電話番号に対応した少なくとも１つのインターネット資源のアドレスを取得するＤＮＳ問合せ手段と、
前記電話番号画面に通信相手先の電話番号を入力する電話番号入力手段と、
前記電話番号画面に入力された前記通信相手先の電話番号を前記ＥＮＵＭ形式のアドレス情報に変換することを指示する指示手段と、
前記指示手段の指示に基づき前記電話番号入力手段で入力された前記通信相手先の電話番号を前記ＥＮＵＭ形式のアドレス情報に変換する変換手段と
を具備することを特徴とする情報通信装置。
【請求項２】
前記変換手段は、
前記ＥＮＵＭ形式のアドレス情報への変換に用いる国番号、地域番号、市外局番、トップレベルドメインの中の少なくとも１つを含むデフォルト情報を予め設定する設定手段
を更に具備し、
前記変換手段は、
前記設定手段により設定された前記デフォルト情報と前記電話番号入力手段で入力された前記通信相手先の電話番号とに基づき前記通信相手先の電話番号を前記ＥＮＵＭ形式のアドレス情報に変換することを特徴とする請求項１記載の情報通信装置。
【請求項３】
前記変換手段で変換されたＥＮＵＭ形式に変換された前記アドレス情報を前記電話番号画面に入力された前記通信相手先の電話番号とともに表示するＥＮＵＭ形式アドレス情報表示手段と
を更に具備することを特徴とする請求項１または２記載の情報通信装置。
【請求項４】
前記設定手段で設定された前記デフォルト情報を前記ＥＮＵＭ形式アドレス情報表示手段の表示領域に表示するデフォルト情報表示手段
を更に具備し、
前記ＥＮＵＭ形式アドレス情報表示手段は、
前記電話番号入力手段で入力された前記通信相手先の電話番号の入力に応じて前記デフォルト情報表示手段で表示された前記デフォルト情報に前記変換手段で変換された前記ＥＮＵＭ形式アドレス情報に順次追加表示する
ことを特徴とする請求項３記載の情報通信装置。
【請求項５】
前記ＤＮＳ問合せ手段による問合せにより前記ＤＮＳサーバから取得した前記通信相手先の電話番号に対応するインターネット資源のアドレスを表示するインターネット資源アドレス表示手段と、
前記インターネット資源アドレス表示手段で表示されたインターネット資源のアドレスを用いて所望のサービスを実行するサービス実行手段と
を更に具備することを特徴とする請求項１乃至４のいずれかに記載の情報通信装置。
【請求項６】
前記サービス実行手段によるサービスの実行のログ情報を他のサービスの実行と識別可能に表示する表示手段
を更に具備することを特徴とする請求項５記載の情報通信装置。
【請求項７】
通信相手先の電話番号を入力可能な電話番号画面を備えた情報通信装置の制御方法において、
前記電話番号画面に通信相手先の電話番号を電話番号入力手段により入力し、
前記電話番号入力手段により前記電話番号画面に入力された通信相手先の電話番号をＥＮＵＭ形式のアドレス情報に変換することを指示手段により指示し、
前記指示手段による指示に基づき前記電話番号画面に入力された通信相手先の電話番号を変換手段によりＥＮＵＭ形式のアドレス情報に変換し、
前記変換手段により変換されたＥＮＵＭ形式のアドレス情報を用いてＤＮＳサーバに問合せをすることにより当該通信相手先の電話番号に対応した少なくとも１つのインターネット資源のアドレスをＤＮＳ問合せ手段により取得する
ことを特徴とする情報通信装置の制御方法。
【発明の詳細な説明】
【技術分野】
【０００１】
本発明は、情報通信装置およびその制御方法に関し、詳しくは、通常の電話番号入力とＥＮＵＭ（tElephone NUmber Mapping）を利用した入力の両形式の入力を可能にした情報通信装置およびその制御方法に関する。
【背景技術】
【０００２】
ネットワークに接続されたノードの数は日々、ますます増加している。
【０００３】
相互接続されたネットワーク、特にインターネットの使用がますます盛んになるにつれて、これらの相互接続されたネットワークを経由して接続可能な情報およびリソースの量は驚異的に増加している。
【０００４】
これらのリソースのほとんどは、ネットワーク自体の基本的なアーキテクチャに固有の方法で記載される。
【０００５】
例えば、これらのリソースは通常、インターネットＩＰアドレス（例えば 203.126.226.111）のようなノードアドレス、あるいはE.164電話番号（例えば+1 650 566 9020）を用いて参照可能に記載される。
【０００６】
ネットワークに接続されたデバイスにとっては、上述した方式に従ってネットワークリソースを参照することについて、何の困難も存在しない。
【０００７】
しかし、人間がネットワーク上の情報およびリソースにアクセスしようとすると、この原始的なやり方が障害となることがしばしばある。
【０００８】
なぜならこのやり方は、人間がリソースを参照する方法と比べて、直感的ではないからである。
【０００９】
このように非直感的であるという問題は、ＩＰアドレスについては当初から認識されていた。
【００１０】
この様な点に鑑みて、当初のインターネット研究者は、ドメインネームシステム（Domain Name System、DNS)を開発した。
【００１１】
ＤＮＳを利用すれば、ネームサーバが解釈可能で、しかも覚えやすいドメインネームを使用することが可能となる。
【００１２】
ＤＮＳにおいて、ネームサーバは、ドメインネームと関連付けられたＩＰアドレスを返すようになっている。
【００１３】
しかし、このＤＮＳにおいて、ＩＰアドレス以外に、ネットワークデバイスに関連付けられた他の多くのタイプの数値の（または他の機械向けの）情報を取り出そうとしても、容易には取り出せない。
【００１４】
そこで、ＩＰアドレス以外の情報を取り出す技術として、最近、電話番号をキーとしてＤＮＳを検索することにより、複数の通信手段を持った相手先の複数のアドレスを得ることができるＥＮＵＭ(telephone number mapping)と呼ばれる構成が提案されている。
【００１５】
ＥＮＵＭにおいては、国際電気通信連合（ＩＴＵ−Ｔ）による電話番号の国際的な取り決めであるＥ．１６４勧告に基づいて電話番号の変換を行い、ＥＮＵＭ形式のアドレス情報であるドメインネームを作成し、ドメインネームをＤＮＳに送って問合せることにより、相手先が通信可能な通信手段と該通信手段を使用した場合の通信相手のアドレスをＵＲＩ形式で得ることができる。
【００１６】
特許文献１において、ユーザは、相手方の名前または識別子をインターフェースデバイスに入力して、これをドメインネームの形式でＤＮＳサーバに送り、ＤＮＳからは、該識別子に対応する名前付与ポインタリソースレコード（ＮＡＰＴＲ−ＲＲ）を受け取り、そのＮＡＰＴＲ−ＲＲに基づいて電話ユニフォームリソースロケータ（ＵＲＬ）を取りだし、その電話ＵＲＬに含まれる電話番号をダイヤルすることで相手先に電話をかけることができる方法が記載されている。
【特許文献１】特開２００３−１２５０９９号公報
【発明の開示】
【発明が解決しようとする課題】
【００１７】
しかし、上記特許文献１に記載の構成は、ドメインネームの形式での相手方の名前または識別子を用いて相手側の電話番号を取得するだけで、コピー、ファックス、スキャン等の複数の機能を併せ持つ複合機における通常の電話番号の入力画面を用いてインターネット資源を利用した相手先のアドレスを入手して通信を実行することはできない。
【００１８】
そこで、この発明は、通常の電話番号の入力画面を有する情報通信装置において、既存の入力方式を大きく変更することなくＥＮＵＭを利用した相手先のアドレスを入手して通信を実行することことができるようにした情報通信装置およびその制御方法を提供することを目的とする。
【課題を解決するための手段】
【００１９】
上記目的を達成するため、請求項１の発明は、通信相手先の電話番号を入力可能な電話番号画面を備えた情報通信装置において、ＥＮＵＭ形式のアドレス情報を用いてＤＮＳサーバに問い合わせることにより前記通信相手先の電話番号に対応した少なくとも１つのインターネット資源のアドレスを取得するＤＮＳ問合せ手段と、前記電話番号画面に通信相手先の電話番号を入力する電話番号入力手段と、前記電話番号画面に入力された前記通信相手先の電話番号を前記ＥＮＵＭ形式のアドレス情報に変換することを指示する指示手段と、前記指示手段の指示に基づき前記電話番号入力手段で入力された前記通信相手先の電話番号を前記ＥＮＵＭ形式のアドレス情報に変換する変換手段とを具備することを特徴とする。
【００２０】
また、請求項２の発明は、請求項１の発明において、前記変換手段は、前記ＥＮＵＭ形式のアドレス情報への変換に用いる国番号、地域番号、市外局番、トップレベルドメインの中の少なくとも１つを含むデフォルト情報を予め設定する設定手段を更に具備し、前記変換手段は、前記設定手段により設定された前記デフォルト情報と前記電話番号入力手段で入力された前記通信相手先の電話番号とに基づき前記通信相手先の電話番号を前記ＥＮＵＭ形式のアドレス情報に変換することを特徴とする。
【００２１】
また、請求項３の発明は、請求項１または２の発明において、前記変換手段で変換されたＥＮＵＭ形式に変換された前記アドレス情報を前記電話番号画面に入力された前記通信相手先の電話番号とともに表示するＥＮＵＭ形式アドレス情報表示手段とを更に具備することを特徴とする。
【００２２】
また、請求項４の発明は、請求項３の発明において、前記設定手段で設定された前記デフォルト情報を前記ＥＮＵＭ形式アドレス情報表示手段の表示領域に表示するデフォルト情報表示手段を更に具備し、前記ＥＮＵＭ形式アドレス情報表示手段は、前記電話番号入力手段で入力された前記通信相手先の電話番号の入力に応じて前記デフォルト情報表示手段で表示された前記デフォルト情報に前記変換手段で変換された前記ＥＮＵＭ形式アドレス情報に順次追加表示することを特徴とする。
【００２３】
また、請求項５の発明は、請求項１及至４のいずれかの発明において、前記ＤＮＳ問合せ手段による問合せにより前記ＤＮＳサーバから取得した前記通信相手先の電話番号に対応するインターネット資源のアドレスを表示するインターネット資源アドレス表示手段と、前記インターネット資源アドレス表示手段で表示されたインターネット資源のアドレスを用いて所望のサービスを実行するサービス実行手段とを更に具備することを特徴とする。
【００２４】
また、請求項６の発明は、請求項５の発明において、前記サービス実行手段によるサービスの実行のログ情報を他のサービスの実行と識別可能に表示する表示手段を更に具備することを特徴とする。
【００２５】
また、請求項７の発明は、通信相手先の電話番号を入力可能な電話番号画面を備えた情報通信装置の制御方法において、前記電話番号画面に通信相手先の電話番号を電話番号入力手段により入力し、前記電話番号入力手段により前記電話番号画面に入力された通信相手先の電話番号をＥＮＵＭ形式のアドレス情報に変換することを指示手段により指示し、前記指示手段による指示に基づき前記電話番号画面に入力された通信相手先の電話番号を変換手段によりＥＮＵＭ形式のアドレス情報に変換し、前記変換手段により変換されたＥＮＵＭ形式のアドレス情報を用いてＤＮＳサーバに問合せをすることにより当該通信相手先の電話番号に対応した少なくとも１つのインターネット資源のアドレスをＤＮＳ問合せ手段により取得することを特徴とする。
【発明の効果】
【００２６】
この発明によれば、電話番号画面に通信相手先の電話番号を入力し、該電話番号画面に入力された通信相手先の電話番号をＥＮＵＭ形式のアドレス情報に変換することを指示することにより、電話番号画面に入力された通信相手先の電話番号をＥＮＵＭ形式のアドレス情報に変換し、該変換されたＥＮＵＭ形式のアドレス情報を用いてＤＮＳサーバに問合せをすることにより当該通信相手先の電話番号に対応した少なくとも１つのインターネット資源のアドレスを取得するように構成したので、既存の入力方式を大きく変更することなくＥＮＵＭを利用した相手先のアドレスを入手して通信を実行することことができるという効果を奏する。
【発明を実施するための最良の形態】
【００２７】
以下、本発明の情報通信装置およびその制御方法の一実施例について添付図面を参照して詳細に説明する。
【００２８】
図１は本発明を適用した情報通信装置１００のブロック図である。
【００２９】
図１において、情報通信装置１００はネットワークインタフェース１０８を通してネットワーク１７０に繋がっており、インターネット１８０を通して、ＥＮＵＭ技術で利用されるＥＮＵＭ形式のアドレス情報であるドメイン名とＮＡＰＴＲ−ＲＲの変換を行うＤＮＳ１９０に接続可能に構成されている。
【００３０】
また、この情報通信装置１００は、ＦＡＸ（ファクシミリ）部１２０にある電話回線を制御するＮＣＵ(Network Control Unit)１２５を通して電話回線に接続可能となっており、電話回線を使用するファックス通信はこの電話回線を通して行われる。
【００３１】
情報通信装置１００は、バス１０６に、情報通信装置１００の全体の制御を行うシステム制御部１０１と、所定の解像度で原稿画像を読み取るスキャナ部１０３と、所定の解像度で画像を記録出力するプリンタ部１０４と、情報通信装置１００の操作で使用される各種操作キーおよび各種表示部をもつ操作／表示部１０５と、スキャナ部から読み込まれた画像または、受信した画像を蓄積する画像蓄積部１０２と、ファックス送信の処理を行うＦＡＸ部１２０と、リアルタイムｉＦＡＸ部１３０と、インターネットを介してピア・ツー・ピア（Ｐｅｅｒ  ｔｏ  Ｐｅｅｒ）でのセッション接続を制御するセッション接続制御部１４０と、電子メールを通じてインターネットファックスの処理を行う電子メールｉＦＡＸ部１５０と、ＥＮＵＭ技術を利用してＤＮＳ１９０に送受信する情報の制御を行うＥＮＵＭ部１６０とが接続されている。
【００３２】
さらに、ＦＡＸ部１２０、リアルタイムｉＦＡＸ部１３０、セッション接続制御部１４０、電子メールｉＦＡＸ部１５０、ＥＮＵＭ部１６０は、インターネットのトランスポートレイヤとネットワークレイヤのプロトコル制御を行うＴＣＰ(Transmission Control Protocol)／ＵＤＰ(User Datagram Protocol)／ＩＰ(Internet Protocol)制御部１０７に接続されており、さらに、ＴＣＰ／ＵＤＰ／ＩＰ制御部１０７は、データリンク層以下の通信制御を行うネットワークインタフェース１０８に接続され、ネットワークインタフェース１０８は、ネットワーク１７０に繋がっており、ネットワーク１７０を通してインターネット１８０にアクセスする。
【００３３】
ＦＡＸ部１２０は、ＦＡＸ部１２０内において、送信時に受信側の能力に合わせて画像の解像度、サイズ、符号則等を変換する処理を行う通信画像処理部１２１がバス１０６に繋がっており、さらに通信画像処理部１２１にはＴ．３０プロトコルを制御するＴ３０制御部１２２が接続され、さらに、Ｔ３０制御部１２２には、アナログ信号とデジタル信号の変復調を行うモデム１２３が接続され、さらに、モデム１２３には、ハンドセットである音声通話部１２４と、電話網との接続制御を行うＮＣＵ１２５と、ＰＣＭ(Pulse Code Modulation)やＡＤＰＣＭ(Adaptive Differential Pulse Code Modulation)を利用して音声信号を変換する音声符号化複合化部１２７が並列に接続され、そして、音声符号化複合化部１２７は、ＲＴＰ(Real-time Transport Protocol)などのリアルタイム転送プロトコルの制御を行うリアルタイム転送制御部１２８に接続され、リアルタイム転送制御部１２８がＴＣＰ／ＵＤＰ／ＩＰ制御部１０７に接続されている。
【００３４】
また、リアルタイムｉＦＡＸ部１３０は、リアルタイムｉＦＡＸ部１３０内において、通信画像処理部１３１がバス１０６に繋がっており、さらに通信画像処理部１３１には、Ｔ．３０プロトコルを制御するＴ３０制御部１３２が接続され、さらにＴ３０制御部１３２にはリアルタイムファクシミリ用のＴ．３８プロトコルを制御するＴ３８制御部１３３が繋がっていて、このＴ３８制御部１３３がＴＣＰ／ＵＤＰ／ＩＰ制御部１０７に接続されている。
【００３５】
また、セッション接続制御部１４０は、ＴＣＰ／ＵＤＰ／ＩＰ制御部１０７に繋がっている。
【００３６】
また、電子メールｉＦＡＸ部１５０は、電子メールｉＦＡＸ部１５０内において、通信画像処理部１５１がバス１０６に繋がっており、さらに通信画像処理部１５１には、既存電子メールの送受信制御を行うＳＭＴＰ(Simple Mail Transfer Protocol)制御部１５３と、Ｔ．３７プロトコルを制御してインターネットファックスの制御を行うＴ３７制御部１５２とが並列に接続され、そして、ＳＭＴＰ制御部１５３がＴＣＰ／ＵＤＰ／ＩＰ制御部１０７に接続されている。
【００３７】
また、ＥＮＵＭ部１６０は、ＥＮＵＭ技術を利用するときにＤＮＳ１９０にドメイン名を送るドメイン名送信部１６１と、ＤＮＳ１９０から送られてくるＮＡＰＴＲ−ＲＲを受信するＮＡＰＴＲ−ＲＲ受信部１６２とが、それぞれバス１０６とＴＣＰ／ＵＤＰ／ＩＰ制御部１０７とに繋がっており、ドメイン名送信部１６１とＮＡＰＴＲ−ＲＲ受信部１６２とは直接的に接続されていない。
【００３８】
ユーザは、この情報通信装置１００を使用して送信を行うには、まず、操作／表示部１０５において電話番号を入力する。
【００３９】
ＥＮＵＭを使用しない通常のファックス送信の場合には、電話番号が入力されると、システム制御部１０１によってスキャナ部１０３で取り込まれた画像データが画像蓄積部１０２を経由してＦＡＸ部１２０に送られ、ＦＡＸ部１２０内のＮＣＵ１２５より通信網を呼び出す為のダイヤル信号が送出され、電話回線１２６を通してファックス通信が行われる。
【００４０】
ＥＮＵＭ技術を使用して通信する場合には、操作／表示部１０５において電話番号の入力の前後にＥＮＵＭボタン２０６が押されることによって、ＥＮＵＭ通信が選択される。
【００４１】
ＥＮＵＭ通信が選択されると、入力された電話番号が、システム制御部１０１によってＥＮＵＭ部１６０内のドメイン名送信部１６１に送られ、ドメイン名送信部１６１においてＥＮＵＭ形式のドメイン名に変換され、ドメイン名送信部１６１からＴＣＰ／ＵＤＰ／ＩＰ制御部１０７とネットワークインタフェース１０８を通してネットワーク１７０からインターネット１８０上のＤＮＳ１９０にドメイン名を送り、ＮＡＰＴＲ−ＲＲを要求する。
【００４２】
ドメイン名が送られたＤＮＳ１９０は、登録されてあるドメイン名に対応するＮＡＰＴＲ−ＲＲを情報通信装置１００に送り返す。
【００４３】
情報通信装置１００はネットワークインタフェース１０８でＮＡＰＴＲ−ＲＲを受け取ると、ＴＣＰ／ＵＤＰ／ＩＰ制御部１０７からＮＡＰＴＲ−ＲＲ受信部１６２に送られ、ＮＡＰＴＲ−ＲＲ受信部１６２において、受信したＮＡＰＴＲ−ＲＲから、通信相手が受信可能な通信手段と該通信手段を使用した場合の通信相手のアドレスがＵＲＩ形式で取り出され、さらに、通信手段の優先順位が登録されていた場合にはその優先順位を取りだし、操作／表示部１０５に、通信手段とアドレスを優先順位順に表示させる。
【００４４】
優先順位が登録されていない場合には、取り出した通信手段とアドレスを表示させる。
【００４５】
操作／表示部１０５に表示された通信手段から、ユーザが任意の通信手段を選択すると、最初にユーザが入力した電話番号の相手先へ、ユーザが選択した通信手段によって通信が行われる。
【００４６】
なお、相手先への通信手段に、ＩＰ電話等のファクシミリ以外の通信手段が含まれていて、情報通信装置１００で使用できる通信手段であれば、当該通信手段が選択された場合には、当該通信手段によって相手先との通信が行われる。
【００４７】
次に、情報通信装置１００において、既存の電話番号入力である、電話回線を使用したファックス送信が行われる時の処理を、操作／表示部１０５で表示される操作画面を示す図面と、情報通信装置１００の処理フローを示すフローチャートを示す図面を参照して詳しく説明する。
【００４８】
図２は、操作／表示部１０５において最初に表示されている基本操作画面２００と電話番号入力ボタン２０３を示す構成図である。
【００４９】
基本操作画面２００はタッチパネル式となっており、画面上に表示されているボタンを指でタッチすることで該ボタンに登録されている機能を実行できる。
【００５０】
基本操作画面２００の画面構成は、上部にメッセージ表示欄２０１が配置され、その下に操作表示欄２０２が配置されている。
【００５１】
なお、情報通信装置１００内の操作／表示部１０５において表示される操作画面の説明において、操作画面上部の黒塗りされている欄がメッセージ表示欄２０１であり、その下の欄が操作表示欄２０２であるとする。
【００５２】
基本操作画面２００の上部のメッセージ表示欄２０１には、「宛先を指定してください」と表示されており、電話番号が入力できる状態となっている。
【００５３】
また、操作表示欄２０２には、送信画質を標準、高画質、超高画質から選択できて送信する原稿の種類を文字、文字／写真、写真の中から選択できるボタン２０８が配置され、送信する原稿の濃度をボタン２０４とボタン２０５で調節できるようになっている。
【００５４】
操作表示欄２０２内の右端には、ＥＮＵＭ技術を使用する時に使われるＥＮＵＭボタン２０６とジョブ管理画面を表示させるジョブ管理画面表示ボタン２０７が配置されている。
【００５５】
また、基本操作画面２００の右隣には、電話番号入力ボタン２０３が配置されており、この電話番号入力ボタン２０３を使用して電話番号等をメッセージ表示欄２０１に入力する。
【００５６】
図１１は、情報通信装置１００の処理フローを示したフローチャートである。
【００５７】
ユーザが電話回線を利用してファックスを送信する時には、まず、送信する原稿をスキャナ部１０３に設置し、操作／表示部１０５に表示されている基本操作画面２００上で、ＥＮＵＭボタン２０６を押さずに（ステップ１１０１でＮＯ）、通信相手のファックス番号を入力する（ステップ１１０２）。
【００５８】
ファックス番号を入力して５秒以内にＥＮＵＭボタン２０６が押されなかったら（ステップ１１０３でＮＯ）、情報通信装置１００は入力された番号に対して電話回線を利用してファックス送信を開始する。
【００５９】
そして、システム制御部１０１がスキャナ部１０３において取りこまれた画像データを画像蓄積部１０２に送り、ＭＨ、ＭＲ、ＭＭＲ、ＪＢＩＧ等のＦＡＸ形式で蓄積する。
【００６０】
画像蓄積部１０２で蓄積された画像データは、ＦＡＸ部１２０に送られて、電話回線を使用したファックス送信のための処理が行われる。
【００６１】
ＦＡＸ部１２０においては、まず、通信画像処理部１２１において、画像データが受信側の能力に合わせて、画像の解像度、サイズ、符号則などの変換が行われる。
【００６２】
通信画像処理部１２１において画像データが変換されると、Ｔ３０制御部１２２において、電話回線でファックス通信を実現するための伝送制御プロトコルであるＴ．３０プロトコルの制御が行われ、そして、モデム１２３において、デジタル信号からアナログ信号へデータの変調が行われ、そして、ＮＣＵ１２５が電話回線で通信相手を呼び出すダイヤル信号を送出し、通信相手先へ電話回線１２６を使用してファックスデータの送信を開始する（ステップ１１０４）。
【００６３】
通信が開始されると、当該通信がジョブとして登録される。
【００６４】
通信が開始されたあとに、当該通信がジョブとして登録され管理される処理について図１３を用いて説明する。
【００６５】
図１３は、ジョブが管理される処理フローを示したフローチャートである。
【００６６】
ファックス送信が開始されると、図８に示されるジョブ管理画面Ａ８００に電話回線を使用したファックス送信のジョブが未完了ジョブとして登録される（ステップ１３０２）。
【００６７】
ジョブ管理画面Ａ８００の詳しい説明は、後のＥＮＵＭを利用した通信についての説明で行う。
【００６８】
ファックス送信中は、操作／表示部１０５にジョブ管理画面Ａ８００が表示され、ジョブ管理画面Ａ８００においてキャンセルボタン８１３が押されなければ（ステップ１３０２でＮＯ）、通信が終了するまで行われる（ステップ１３０３でＮＯ）。
【００６９】
ジョブ管理画面Ａ８００において、キャンセルボタン８１３が押されると（ステップ１３０２においてＹＥＳ）、ファックス送信が停止される（ステップ１３０５）。
【００７０】
送信中にキャンセルボタン８１３が押されずに送信が終了してジョブが完了すると（ステップ１３０３でＹＥＳ）、ジョブが完了ジョブに登録され（ステップ１３０４）、操作／表示部１０５には基本操作画面２００を表示する。
【００７１】
基本操作画面２００において、ジョブ管理画面ボタン２０７を押すことにより、ジョブ管理画面を表示でき、ジョブ管理画面において完了ジョブボタン８１１を押して、完了ジョブを確認することが出来る。
【００７２】
次に、情報通信装置１００において、ＥＮＵＭ技術を使用して通信が行われる時の処理を、操作／表示部１０５で表示される操作画面等を示す図面と、処理フローを示すフローチャートを示している図面を参照して詳しく説明する。
【００７３】
まず、ＥＮＵＭ技術を使用して通信を行う際には、図２に示される基本操作画面２００において、ＥＮＵＭボタン２０６が押される（ステップ１１０１でＹＥＳ）。
【００７４】
これにより、操作／表示部１０５において図３に示されるＥＮＵＭ電話番号入力開始画面３００が表示される。
【００７５】
図３は、ＥＮＵＭ技術を使用する際に、操作／表示部１０５において表示されるＥＮＵＭ電話番号入力開始画面３００を示す構成図である。
【００７６】
図３に示されたＥＮＵＭ電話番号入力開始画面３００においては、画面上部の黒塗りのメッセージ表示欄２０１に、電話番号を入力する宛先番号表示欄３０１と、ＥＮＵＭ形式に変換されたドメイン名を表示するＥＮＵＭドメイン名表示欄３０２とが配置されている。
【００７７】
また、画面下部の操作表示欄２０２内の右下には基本操作画面２００にはなかったキャンセルボタン２０７が表示されており、このキャンセルボタン２０７が押されることで、通信処理は中止されて操作／表示部１０５には基本操作画面２００が表示される。
【００７８】
宛先番号表示欄３０１には、電話番号の入力位置に番号の入力を促す表示３０３が点滅表示等で表示されている。
【００７９】
ＥＮＵＭドメイン名表示欄３０２には、デフォルトで「３．１．８．ｅ１６４．ａｒｐａ」と表示されており（ステップ１１０６）、その内容は、国番号を意味する「８１」や市外局番を意味する「３」や、ＥＮＵＭ用のＴＬＤを意味する「Ｅ１６４．ａｒｐａ」である。
【００８０】
このようにＴＬＤ等が表示されているので、ユーザに電話番号入力に関して負担がかからず、既存の電話番号入力を大きく変更することがない。
【００８１】
なお、ＥＮＵＭドメイン名表示欄３０２でデフォルト表示するＴＬＤ等については、表示させる内容を設定変更することが可能であるとする。
【００８２】
ＥＮＵＭ電話番号入力開始画面３００から通信相手の電話番号の入力が開始されると（ステップ１１０７）、入力と同時に入力された番号がＥＮＵＭ形式に変換され（ステップ１１０８）、ＥＮＵＭドメイン名表示欄３０２に変換された番号が表示される（ステップ１１０９）。
【００８３】
電話番号入力ボタン２０３によって番号が入力されると、システム制御部１０１は、入力された番号をドメイン名送信部１６１に送り、ドメイン名送信部１６１で、入力された番号がＥＮＵＭ形式へ変換され（ステップ１１０８）、変換された番号が操作／表示部１０５に送られ表示される。
【００８４】
この変換処理は、操作／表示部１０５にＥＮＵＭ形式への変換プログラムを備えて、操作／表示部１０５でＥＮＵＭ形式に変換するようにしてもよい。
【００８５】
その場合は、操作／表示部１０５で番号が変換されると、変換された番号がドメイン名送信部１６１に送られる。
【００８６】
図４は、入力された電話番号が、入力と同時にＥＮＵＭ形式に変換される様子を示すＥＮＵＭ電話番号入力中画面４００の構成図である。
【００８７】
ＥＮＵＭ電話番号入力中画面４００において、入力された電話番号が宛先番号表示欄３０１に表示され、ＥＮＵＭ形式に変換された番号がＥＮＵＭドメイン名表示欄３０２に表示される。
【００８８】
ここで、電話番号をＥＮＵＭ形式のドメイン名に変換する手順について説明する。
【００８９】
電話番号「０３−５２９７−２３１１」をＥＮＵＭ形式に変換する場合には、まず、ＩＴＵ−Ｔ Ｅ．１６４勧告の付録Ａで指定されたＥ．１６４番号する。
【００９０】
そうすると、「＋８１−３−５２９７−２３１１」となり、次に、先頭の＋と数字を残し、それ以外の文字を抹消する。
【００９１】
そうすると、「＋８１３５２９７２３１１」となり、次に、数字以外の文字を抹消する。
【００９２】
そうすると、「８１３５２９７２３１１」となり、次に、それぞれの数字の間にドット「．」を挿入する。
【００９３】
そうすると、「８．３．５．２．９．７．２．３．１．１」となり、次に、数字を逆順にする。
【００９４】
そうすると、「１．３．２．７．９．２．５．３．１．８」となり、次に、文字列「．ｅ１６４．ａｒｐａ」を最後尾に追加する。
【００９５】
そうすると、「１．３．２．７．９．２．５．３．１．８．ｅ１６４．ａｒｐａ」となり、これがＤＮＳに送付するドメイン名となる。
【００９６】
また、情報通信装置１００の操作／表示部１０５に電話番号入力前で表示される基本操作画面２００において、電話番号を入力した後にＥＮＵＭボタン２０６が押される手順（ステップ１１０３でＹＥＳ）でもＥＮＵＭ技術を使用した通信が行えることとする。
【００９７】
こうすることにより、既存の電話番号を入力後にＥＮＵＭボタン２０６を押すだけで、ＥＮＵＭを使用した通信が選択できる。
【００９８】
電話番号を入力した後、５秒以内にＥＮＵＭボタン２０６が押されなければ（ステップ１１０３でＮＯ）、入力された電話番号の宛先に電話回線を使用したファックス送信が行われることになる（ステップ１１０４）。
【００９９】
なお、電話番号入力してからＥＮＵＭボタン２０６が押されるまでの時間はデフォルトでは５秒だが、設定変更可能とする。
【０１００】
電話番号が入力されてからＥＮＵＭボタン２０６が５秒以内に押されると（ステップ１１０３でＹＥＳ）、入力された電話番号の相手先にＥＮＵＭ技術を使用した通信が行われるように決定され、入力された電話番号が、システム制御部１０１によってドメイン名送信部１６１に送られ、ドメイン名送信部１６１においてＥＮＵＭ形式に電話番号がドメイン名に変換され（ステップ１１０５）、変換されたドメイン名はシステム制御部１０１によって再び操作／表示部１０５に送られ、操作／表示部１０５にＥＮＵＭ形式に変換されたドメイン名が表示される（ステップ１１１０）。
【０１０１】
なお、この場合も、操作／表示部１０５に変換プログラムを設けて、入力された電話番号を操作／表示部１０５でドメイン名に変換して、システム制御部１０１が操作／表示部１０５において変換されたドメイン名をドメイン名送信部１６１に送る方法でも良い。
【０１０２】
入力された番号がＥＮＵＭ形式であるドメイン名に変換され、ＤＮＳ１９０に送付できるようになると、入力された番号が宛先番号表示欄３０１に表示され、その番号がＥＮＵＭ形式に変換されたドメイン名がＥＮＵＭドメイン名表示欄３０２に表示される（ステップ１１１０）。
【０１０３】
図５は、入力された番号とＥＮＵＭ形式に変換されたドメイン名が表示されたＥＮＵＭ電話番号入力後画面５００を示す図である。
【０１０４】
ＥＮＵＭ電話番号入力後画面５００において、宛先番号表示欄３０１に、入力された電話番号が表示されており、ＥＮＵＭドメイン名表示欄３０２に、ＥＮＵＭ形式に変換されたドメイン名が表示されている。
【０１０５】
ドメイン名が表示されると、ユーザによってＤＮＳ問合せボタン５０１が押されることによって（ステップ１１１１）、情報通信装置１００はＥＮＵＭ部１６０内のドメイン名送信部１６１からＤＮＳ１９０に問合せてＮＡＰＴＲ−ＲＲ受信部１６２で応答結果を受信する（ステップ１１１２）。
【０１０６】
なお、ＤＮＳ問合せボタン５０１が押されなくても、ＥＮＵＭを使用する通信が選択されている場合には、電話番号入力後、自動的にＤＮＳ１９０に問合せを行うようにしてもよい。
【０１０７】
情報通信装置１００がＤＮＳ１９０に問合せて応答結果を受信する処理について、図１２のフローチャートを参照して説明する。
【０１０８】
図１２は、情報通信装置１００がＤＮＳ１９０に問合せて応答結果を受信する処理フローを示すフローチャートである。
【０１０９】
ＤＮＳ１９０への問合せは、ＥＮＵＭ部１６０内のドメイン名送信部１６１から、ＴＣＰ／ＵＤＰ／ＩＰ制御部１０７、ネットワークインタフェース１０８を介して、ネットワーク１７０を通して接続されるインターネット１８０上のＤＮＳ１９０にドメイン名を送付して行われる（ステップ１２０１）。
【０１１０】
インターネット１８０上のＤＮＳ１９０は、ドメイン名が送られると、ドメイン名に対応して登録されてあるＮＡＰＴＲ−ＲＲを情報通信装置１００に送り返す。
【０１１１】
ＮＡＰＴＲ−ＲＲを送り返された情報通信装置１００は、ネットワークインタフェース１０８、ＴＣＰ／ＵＤＰ／ＩＰ制御部１０７を介してＮＡＰＴＲ−ＲＲ受信部１６２でＮＡＰＴＲ−ＲＲを受信する（ステップ１２０２）。
【０１１２】
ＮＡＰＴＲ−ＲＲ受信部１６２では、受信したＮＡＰＴＲ−ＲＲに基づいて、通信相手が受信可能な通信手段と当該通信手段を使用した場合の通信相手のアドレスをＵＲＩ形式で取りだし（ステップ１２０３）、相手先への通信手段に優先順位が登録されていれば優先順位も取りだす。
【０１１３】
通信手段に優先順位が登録されていれば（ステップ１１１３でＹＥＳ）、システム制御部１０１は通信相手への通信手段とアドレスを、優先順位を反映させて操作／表示部１０５に表示する（ステップ１１１６）。
【０１１４】
ここで、優先順位を反映させて通信相手への通信手段とアドレスを表示する、相手先ＵＲＩ画面７００を図７に示す。
【０１１５】
操作／表示部１０５に表示された相手先ＵＲＩ画面７００には、メッセージ表示欄２０１において、宛先番号表示欄３０１に入力された相手先の電話番号と、ＥＮＵＭドメイン名表示欄３０２に変換されたドメイン名とが表示されている。
【０１１６】
操作表示欄２０２には、通信相手への通信手段とアドレスを優先順位と共に表示する相手先ＵＲＩ表示欄７０４と、ユーザに通信手段の選択を問うユーザ問合せ欄７０３がある。
【０１１７】
図７においては、ユーザ問合せ欄７０３には、優先順位が一番として登録されていた、電子メールを使用したインターネットファックスの使用をユーザに尋ねる問合せが表示されている。
【０１１８】
相手先ＵＲＩ表示欄７０４には、通信相手先への通信手段とアドレスが、登録されていた優先順位の順番で上から表示されている。
【０１１９】
１番目の「ｉＦＡＸ＿ｅＭａｉｌ：ｉｎｆｏ＠ｆｕｊｉ．ｃｏ．ｊｐ」は、電子メールを使用したインターネットファックス通信とアドレスを示し、２番目の「ｉＦＡＸ＿ＩＰ：ｉｎｆｏ＠ｆｕｊｉ．ｃｏ．ｊｐ」は、リアルタイムに通信できるインターネットファックス通信とアドレスを示し、３番目の「ＦＡＸ＿ＰＳＴＮ：＋８１３３５８５３２１」は、電話回線を使用したファックス通信とアドレスを示し、４番目の「Ｔｅｌ＿ｓｉｐ：ｉｎｆｏ＠ｆｕｊｉ．ｃｏ．ｊｐ」は、インターネット電話とアドレスを示している。
【０１２０】
ユーザ問合せ欄７０３に表示された「電子メールに画像を添付して送信します」との問い合わせに対して、ユーザが「はい」を選択した場合には、選択された通信手段を使用して通信が開始される。
【０１２１】
また、ユーザが「いいえ」を選択して、一番優先順位の高い通信手段が拒否されると、相手先ＵＲＩ表示欄７０４に表示されていた、２番目の優先順位である、リアルタイムに送信できるインターネットファックスの使用を問う問合せが、ユーザ問合せ欄７０３で行われる。
【０１２２】
このように、優先順位の一番高い通信手段から、優先順位の順番で、通信手段の選択が問い合わされ、通信手段が決定されるまで行われる（ステップ１１１７）。
【０１２３】
なお、通信手段がユーザにより拒否続けて、優先順位の一番低い通信手段まで拒否された場合には、再度、優先順位の一番高い通信手段から問合せが行われ、通信手段が選択されるまで続けられる。
【０１２４】
また、ＤＮＳ１９０において相手先への通信手段等の優先順位が登録されてなかったら（ステップ１１１３でＮＯ）、図６に示すように、通信相手への通信手段とアドレスが操作／表示部１０５に表示される（ステップ１１１４）。
【０１２５】
図６は、ＤＮＳ１９０に相手先への通信手段等の優先順位が登録されていない場合における、ＮＡＰＴＲ−ＲＲから取り出した通信相手への通信手段とアドレスを表示するＵＲＩ表示画面６００である。
【０１２６】
ＵＲＩ表示画面６００の操作表示欄２０２において、取り出した通信手段とアドレス等が表示されている。
【０１２７】
通信手段とアドレスとして、電話回線を使用したファックス通信と、電子メールを使用したインターネットファックス通信と、リアルタイムで通信できるインターネットファックス通信と、インターネット電話とが表示されている。
【０１２８】
ユーザは、画面上に表示された通信手段の中から、選択する通信手段の左側に表示されたボタンを指でタッチする等をして通信手段を選択する（ステップ１１１５）。
【０１２９】
このように、ＤＮＳ１９０に通信手段等の優先順位が登録されていた場合には（ステップ１１１３でＹＥＳ）、ステップ１１１７において通信手段が選択され、優先順位が登録されていなかった場合には（ステップ１１１３でＮＯ）、ステップ１１１５において通信手段が選択される。
【０１３０】
通信手段が選択されると、次に、選択された通信手段で、相手先への通信が開始される（ステップ１１１８）。
【０１３１】
これから、選択された通信手段を使用した通信処理について図１４を使って説明を行う。
【０１３２】
図１４は、選択された様々な通信手段により通信が行われるそれぞれの処理フローを示したフローチャートである。
【０１３３】
リアルタイムに通信できるインターネットファックスが選択された場合には、システム制御部１０１は、スキャナ部１０３で取り込まれた画像データを画像蓄積部１０２にＴＩＦＦ−ＦＸの形式で蓄積し（ステップ１４０１）、蓄積された画像データがリアルタイムｉＦＡＸ部１３０に送られる。
【０１３４】
リアルタイムｉＦＡＸ部１３０内では、通信画像処理部１３１において、画像データが受信側の能力に合わせ、画像の解像度、サイズ、符合則などについて変換され、変換された画像データは、Ｔ３０制御部１３２、Ｔ３８制御部１３３でリアルタイムにインターネットファックスする処理が行われ、ＴＣＰ／ＵＤＰ／ＩＰ制御部１０７、ネットワークインタフェース１０８、ネットワーク１７０を経由してインターネット上の相手先へリアルタイムにインターネットファクシミリ送信が開始される（ステップ１４０２）。
【０１３５】
また、電子メールを使用したインターネットファックスが選択された場合には、システム制御部１０１は、操作／表示部１０５においてユーザに画像ファイルの形式を尋ね（ステップ１４０３）、スキャナ部１０３で取り込まれた画像データを、ＰＤＦ、Ｔｉｆｆ、ＪＦＩＦ等のユーザが指定したファイル形式で画像蓄積部１０２に蓄積する（ステップ１４０４）。
【０１３６】
そして、画像蓄積部１０２に蓄積された画像データを電子メールｉＦＡＸ部１５０に送る。
【０１３７】
電子メールｉＦＡＸ部１５０においては、通信画像処理部１５１において、画像データを受信側の能力に合わせて画像の解像度、サイズ、符号則などが変換される。
【０１３８】
変換された画像データは、ＩＰネットワーク上でＧ３ファクシミリ通信を実現するための伝送制御プロトコルであるＴ．３７を制御するＴ３７制御部１５２において、画像データが電子メールに添付されるように処理され、ＳＭＴＰ制御部１５３から、処理された電子メールが相手先のメールアドレスに送信される。
【０１３９】
ＳＭＴＰ制御部１５３から送信される画像データが添付された電子メールは、ＳＭＴＰ制御部１５３からＴＣＰ／ＵＤＰ／ＩＰ制御部１０７、ネットワークインタフェース１０８、ネットワーク１７０を介してインターネット１８０上の相手先へ送信される（ステップ１４０５）。
【０１４０】
また、電話回線を使用したファックス通信が選択された場合には、システム制御部１０１は、スキャナ部１０３で取り込まれた画像をＭＨ／ＭＲ／ＭＭＲ／ＪＢＩＧ等のＦＡＸ形式で画像蓄積部１０２に蓄積し（ステップ１４０６）、蓄積した画像データをＦＡＸ部１２０に送る。
【０１４１】
画像データが送られたＦＡＸ部１２０においては、まず、通信画像処理部１２１において、画像データが、受信側の能力に合わせて画像の解像度、サイズ、符合則等が変換される。
【０１４２】
変換された画像は、電話回線でファクシミリ通信を実現するための伝送制御プロトコルであるＴ．３０プロトコルの制御がＴ３０制御部１２２で行われ、プロトコルの制御が行われると、モデム１２３において、デジタル信号をアナログ回線で送信するためのデータの変調が行われ、次に、ＮＣＵ１２５によって通信相手を呼び出すためのダイヤル信号が電話回線１２６に送出され、通信相手先へのファックスデータの送信が開始される（ステップ１４０７）。
【０１４３】
また、インターネット電話が選択された場合には、セッション接続制御部１４０がインターネット１８０上の相手先とのＰｅｅｒ  ｔｏ  Ｐｅｅｒでのセッション接続を開始する。
【０１４４】
相手先とセッションが確立されると、ユーザはハンドセットである音声通話部１２４を通してインターネット電話での通信を行う。
【０１４５】
音声通話部１２４から話された音声は、音声符号化複合化部１２７において、音声信号がＰＣＭまたはＡＤＰＣＭ等の処理によりデジタル信号に変換される。
【０１４６】
変換されたデジタル信号は、リアルタイム転送制御部１２８、ＴＣＰ／ＵＤＰ／ＩＰ制御部１０７、ネットワークインタフェース１０８を介して、ネットワーク１７０に接続されているインターネット１８０上の通信相手へ音声がパケット単位で運ばれる。
【０１４７】
また、通信相手からの音声は、逆に、インターネット１８０、ネットワーク１７０から、ネットワークインタフェース１０８、ＴＣＰ／ＵＤＰ／ＩＰ制御部１０７、リアルタイム転送制御部１２８を介してデジタル信号が運ばれ、音声符号化複合化部１２７でデジタル音声が音声信号に変換され、ユーザが音声通話部１２４で通信相手の音声を聞くことが出来る。
【０１４８】
音声の送受信において、通話を成立させるために、リアルタイムに音声を送受信するための処理が、リアルタイム転送制御部１２８においてＲＴＰ等のリアルタイム転送プロトコルを制御することで行われる（ステップ１４０９）。
【０１４９】
このようにして、通信が開始されると（ステップ１１１８）、該通信がジョブとして管理され（ステップ１１１９）操作／表示部１０５にジョブ管理画面が表示される。
【０１５０】
ジョブ管理について、図１３のフローチャートを参照して説明する。
【０１５１】
図１３は、通信を開始したジョブが管理される処理フローを示すフローチャートである。
【０１５２】
通信が開始されると、該通信がジョブとして未完了ジョブに登録され操作／表示部１０５に表示される（１３０１）。
【０１５３】
ここで、図８と図９と図１０に、操作／表示部１０５に表示されるジョブ管理画面の例を示す。
【０１５４】
図８は、電話回線を使用したファックスが選択されて、送信が開始された時に、操作表示部１０５に表示されるジョブ管理画面Ａ８００を示す。
【０１５５】
ジョブ管理画面Ａ８００の画面構成について説明すると、メッセージ表示欄２０１には「ジョブ管理画面です。」と表示されており、操作表示欄２０２には、ボタン表示欄８０１、ジョブ表示欄８０２とが表示されている。
【０１５６】
ボタン表示欄８０１には、左から完了ジョブボタン８１１、未完了ジョブボタン８１２、キャンセルボタン８１３、レポート印刷ボタン８１４、ファックス基本画面ボタン８１５が配置されている。
【０１５７】
ボタン表示欄８０１の完了ジョブボタン８１１を押すことにより、完了したジョブがボタン表示欄８０１の下のジョブ表示欄８０２に表示される。
【０１５８】
未完了ジョブボタン８１２は、未完了ジョブの内容を示している意味で、斜線で強調表示されている。
【０１５９】
キャンセルボタン８１３を押すことにより、ジョブ表示欄８０２に表示されている未完了ジョブを削除することができる。
【０１６０】
レポート印刷ボタン８１４を押すことにより、ジョブ表示欄８０２に表示されているジョブのログ情報が、ジョブが終了した時点でプリンタ部１０４から印刷され、ログ情報を紙面で確認できる。
【０１６１】
ファックス基本画面ボタン８１５を押すことにより、ジョブ管理画面から、ファックス基本画面に表示が移り、ファックス基本画面で新たなファックス送信等の通信を行うことが出来る。
【０１６２】
ジョブ表示欄８０２には通信ログ情報として、文書番号と、通信手段と、通信状態と、相手先とＥＮＵＭであるかどうかと、ページ数とが表示されるように構成されている。
【０１６３】
ジョブ管理画面Ａ８００のジョブ表示欄８０２においては、未完了ジョブである電話回線を使用したファックス送信が送信中であるログ情報が表示されている。
【０１６４】
また、ジョブ表示欄８０２の右端には、ジョブ選択ボタン８２０、８２２と、ジョブ番号表示欄８２１が表示されている。
【０１６５】
ジョブ番号表示欄８２１には、「１／３」と表示されており、この意味は、三つの未完了ジョブのうち一つ目のジョブがジョブ表示欄８０２に表示されていることを示す。
【０１６６】
ジョブ番号表示欄８２１の上下に配置されている、ジョブ選択ボタン８２０、８２２でジョブ表示欄８２１に表示されるジョブ番号を調節することで、その他のジョブのログ情報をジョブ表示欄８０２に表示させることができる。
【０１６７】
このようなジョブ管理画面Ａ８００において、キャンセルボタン８１３が押されれば（ステップ１３０２でＹＥＳ）、通信が停止される（１３０５）。
【０１６８】
また、キャンセルボタン８１３が押されなければ（ステップ１３０２でＮＯ）、通信が続けられる（ステップ１３０３でＮＯとステップ１３０２でＮＯのループ）。
【０１６９】
通信が終了すると（ステップ１３０３でＹＥＳ）、通信を終えたジョブが未完了ジョブから完了ジョブへ登録され（ステップ１３０４）、操作／表示部１０５には最初の基本操作画面２００が表示される。
【０１７０】
完了ジョブは、基本操作画面２００においてジョブ管理画面ボタン２０７が押されると表示される。
【０１７１】
なお、インターネット電話が終了される処理は、確立した相手とのセッションをセッション接続制御部１４０が開放することで行われる。
【０１７２】
次に、ＥＮＵＭを利用した通信を行った場合に、ジョブ管理画面でＥＮＵＭが使用されたことを表示する手段について、二つの例を、図９、図１０を参照して説明する。
【０１７３】
図９は、ＥＮＵＭを利用した、リアルタイムインターネットファックス通信の未完了ジョブを表示する一例であるジョブ管理画面Ｂ９００である。
【０１７４】
ジョブ管理画面Ｂ９００のジョブ表示欄８０２には、ログ情報として、文書番号が０００１７である１ページのドキュメントが、ＥＮＵＭを使用して、電話番号３５８５３２１１の相手先に、リアルタイムでインターネットファックス送信する送信待ちのジョブが表示されている。
【０１７５】
通信相手は、「Ｅ３５８５３２１１」と表示されており（図９の符号９０２）、これは、入力された電話番号の頭に「Ｅ」という文字をつけることによってＥＮＵＭを使用した通信であることを示している。
【０１７６】
また、図１０も、図９で示したジョブ管理画面Ｂ９００で表示されたジョブと同内容の未完了ジョブについて、通信相手を表示する手段を変えて表示したジョブ管理画面Ｃ１０００である。
【０１７７】
ジョブ管理画面Ｃ１０００においては、ジョブ表示欄８０２において、通信相手は、「１．１．２．３．５．８．５．３．１．８．ｅ１６４．ａｒｐａ」と表示されている（図１０の符号１００１）。
【０１７８】
これは、「５８５３２１１」と入力された電話番号がＥＮＵＭ形式に変換されたドメイン名を表示してあり、ジョブ管理画面Ｂ９００で表示された「Ｅ３５８５３２１１」と同じく、ＥＮＵＭを使用した通信であることを示している。
【産業上の利用可能性】
【０１７９】
この発明は、インターネットを利用した通信を行う情報通信装置において利用可能である。
【０１８０】
この発明によれば、通常の電話番号入力とＥＮＵＭを利用した入力の両形式の入力が可能になり、また、通信相手先の電話番号を入力することで、当該通信相手先の電話番号に対応したインターネットファックス、電子メールアドレス等のインターネット資源のアドレスを少なくとも１つ取得することができる。
【図面の簡単な説明】
【０１８１】
【図１】本発明を適用した情報通信装置１００のブロック図。
【図２】操作／表示部１０５において最初に表示されている基本操作画面２００と電話番号入力ボタン２０３を示す構成図。
【図３】ＥＮＵＭ技術を使用する際に、操作／表示部１０５において表示されるＥＮＵＭ電話番号入力開始画面３００を示す構成図。
【図４】ＥＮＵＭ技術使用時に、入力された電話番号が、入力と同時にＥＮＵＭ形式に変換される様子を示す操作画面の構成図。
【図５】ＥＮＵＭ技術使用時に、入力が終えた電話番号がＥＮＵＭ形式のドメイン名に変換されて表示されているＥＮＵＭ電話番号入力後画面５００を示す構成図。
【図６】ＥＮＵＭ技術使用時に、通信手段等の優先順位が登録されていない場合の、ＮＡＰＴＲ−ＲＲから取り出した通信相手への通信手段と該通信手段を使用した場合の通信相手のアドレスとを表示するＵＲＩ表示画面６００を示す構成図。
【図７】ＥＮＵＭ技術使用時に、優先順位を反映させて通信相手への通信手段とアドレスを表示する相手先ＵＲＩ画面７００を示す構成図。
【図８】電話回線を使用したファックス送信の未完了ジョブを示すジョブ管理画面Ａ８００を示す構成図。
【図９】ＥＮＵＭ技術使用時に、ジョブ管理画面において、ＥＮＵＭを示す記号と入力通りの電話番号とで、ＥＮＵＭを使用したことと通信相手とを表示したジョブ管理画面Ｂ９００を示す構成図。
【図１０】ＥＮＵＭ技術使用時に、ジョブ管理画面において、ＥＮＵＭ形式のドメイン名で、ＥＮＵＭを使用したことと通信相手とを表示したジョブ管理画面Ｃ１０００を示す構成図。
【図１１】情報通信装置１００の処理フローを示したフローチャート。
【図１２】情報通信装置１００が、ＥＮＵＭ技術使用時に、ＤＮＳ１９０に問合せて応答結果を受信する処理フローを示したフローチャート。
【図１３】情報通信装置１００において、通信を開始したジョブが管理される処理フローを示したフローチャート。
【図１４】選択された様々な通信手段により通信が行われるそれぞれの処理フローを示したフローチャート。
【符号の説明】
【０１８２】
１００    情報通信装置
１０１    システム制御部
１０２    画像蓄積部
１０３    スキャナ部
１０４    プリンタ部
１０５    操作／表示部
１０６    バス
１０７    ＴＣＰ／ＵＤＰ／ＩＰ制御部
１０８    ネットワークインタフェース
１２０    ＦＡＸ部
１２１    通信画像処理部
１２２    Ｔ３０制御部
１２３    モデム
１２４    音声通話部
１２５    ＮＣＵ
１２６    電話回線
１２７    音声符号化複合化部
１２８    リアルタイム転送制御部
１３０    リアルタイムｉＦＡＸ部
１３１    通信画像処理部
１３２    Ｔ３０制御部
１３３    Ｔ３８制御部
１４０    セッション接続制御部
１５０    電子メールｉＦＡＸ部
１５１    通信画像処理部
１５２    Ｔ３７制御部
１５３    ＳＭＴＰ制御部
１６０    ＥＮＵＭ部
１６１    ドメイン名送信部
１６２    ＮＡＰＴＲ−ＲＲ受信部
１７０    ネットワーク
１８０    インターネット
１９０    ＤＮＳ
２００    基本操作画面
２０１    メッセージ表示欄
２０２    操作表示欄
２０３    電話番号入力ボタン
３００    ＥＮＵＭ電話番号入力開始画面
３０１    宛先番号表示欄
３０２    ＥＮＵＭドメイン名表示欄
４００    ＥＮＵＭ電話番号入力中画面
５００    ＥＮＵＭ電話番号入力後画面
６００    ＵＲＩ表示画面
７００    相手先ＵＲＩ画面
８００    ジョブ管理画面Ａ
８０１    ボタン表示欄
８０２    ジョブ表示欄
９００    ジョブ管理画面Ｂ
１０００    ジョブ管理画面Ｃ
【図１】
2006020046.tif 000003
【図２】
2006020046.tif 000004
【図３】
2006020046.tif 000005
【図４】
2006020046.tif 000006
【図５】
2006020046.tif 000007
【図６】
2006020046.tif 000008
【図７】
2006020046.tif 000009
【図８】
2006020046.tif 000010
【図９】
2006020046.tif 000011
【図１０】
2006020046.tif 000012
【図１１】
2006020046.tif 000013
【図１２】
2006020046.tif 000014
【図１３】
2006020046.tif 000015
【図１４】
2006020046.tif 000016